(57)【特許請求の範囲】
【請求項１】
大面積の下部施設を無柱式に被うドーム屋根であって、
内側が高く形成された中央屋根を下部施設の外周部に形成される外周支持体から内側に延伸する吊りケーブルで支持し、外周支持体から内側上方に延伸する抑えケーブルで前記中央屋根の上方移動を抑制し、抑えケーブルに面状の屋根部材を張って外側屋根を形成した、ことを特徴とするドーム屋根。
【請求項２】
外周支持体はスタンドを形成する下部構造体の外側頂部に取り付けられる箱型断面の外周リングであり、中央屋根は内周リングに取り付けられ、吊りケーブルは内周リングを支持していることを特徴とする請求項１に記載のドーム屋根。
【請求項３】
内周リングが箱型断面であることを特徴とする請求項２に記載のドーム屋根。
【請求項４】
内周リングがリングケーブルとリングケーブルに取り付けられた接合部材から成り、接合部材に吊りケーブルと、抑えケーブル、および、または、中央屋根が取り付けられていることを特徴とする請求項２に記載のドーム屋根。
【請求項５】
外側屋根はスタンドの上方を被っていることを特徴とする請求項２に記載のドーム屋根。
【請求項６】
抑えケーブルは、吊りケーブルの下方に配設されていることを特徴とする請求項２に記載のドーム屋根。
【請求項７】
抑えケーブルは、吊りケーブルの上方に配設されていることを特徴とする請求項２に記載のドーム屋根。
【請求項８】
抑えケーブルが中央屋根の中心と外周リングを結んでいることを特徴とする請求項７に記載のドーム屋根。
【請求項９】
抑えケーブルと吊りケーブルの間に密閉気体層を設けたことを特徴とする請求項７に記載のドーム屋根。
【請求項１０】
外周リングの複数の外側取り付け位置から伸びる吊りケーブル、および、または、抑えケーブルが内周リングの１つの内側取り付け位置へ達していることを特徴とする請求項２に記載のドーム屋根。
【請求項１１】
外周リングから内側に向かう吊りケーブル、および、または、抑えケーブルが、内周リングを横切ってから、該横切った位置とは異なる周方向位置で内周リングの内側に取り付けられていることを特徴とする請求項２に記載のドーム屋根。
【請求項１２】
吊りケーブル、および、または、抑えケーブルが、内周リングを横切る際に、内周リングに付設された滑車を通るようにされていることを特徴とする請求項１１に記載のドーム屋根。
【請求項１３】
中央屋根が、骨材を結合した屋根枠に面状の屋根部材を張って形成したアーチ状屋根であることを特徴とする請求項２に記載のドーム屋根。
【請求項１４】
中央屋根が、環状の外側中央屋根と、内側中央屋根から成ることを特徴とする請求項２に記載のドーム屋根。
【請求項１５】
中央屋根が、中心配置される中心部材と内周リングを１以上の箱型断面の副内周リングを介して結んだケーブルに面状部材を張って構成され、内側のリングほど底面の高さが高くされ、面状部材が各リングの底部の間を結ぶケーブルに張られていることを特徴とする請求項２に記載のドーム屋根。
【請求項１６】
中央屋根の内側に中央屋根を補強する張弦梁が配設されていることを特徴とする請求項２に記載のドーム屋根。
【請求項１７】
抑えケーブルが中央屋根の外周より内側に延長されて張弦梁を兼ねていることを特徴とする請求項１６に記載のドーム屋根。
【請求項１８】
抑えケーブルが、内周リングに取り付けられた滑車を通っていることを特徴とする請求項１７に記載のドーム屋根。
【請求項１９】
抑えケーブルが中央屋根を貫通していることを特徴とする請求項１７に記載のドーム屋根。
【請求項２０】
中央屋根が可動屋根を含み、開閉可能であることを特徴とする請求項２に記載のドーム屋根。
【請求項２１】
可動屋根は内周リング上に円周状に配置されたレール上を移動するように構成され、レールに抑えケーブルが取り付けられていることを特徴とする請求項２０に記載のドーム屋根。
【請求項２２】
吊りケーブルと抑えケーブルが連結ハンガー部材で連結されていることを特徴とする請求項２に記載のドーム屋根。
【請求項２３】
内周リングから略垂直下方に伸び、下端が下部施設に固定されている垂直抑えケーブルを有することを特徴とする請求項２に記載のドーム屋根。
【請求項２４】
抑えケーブルが樹脂製の面状体で形成され、外側屋根を兼ねていることを特徴とする請求項２に記載のドーム屋根。
【発明の詳細な説明】
【０００１】
【発明の属する技術分野】
本発明は、野球場、サッカー場、等の大きな面積を有する施設の上方を無柱式に被うドーム屋根に関する。
【０００２】
【従来の技術】
現在、雨天にも拘わらず、野球、サッカー、あるいは、その他のイベントが開催できるように、野球場等の施設の上方を無柱式に被うドーム屋根が開発され、すでに各地で使用されている。従来のドーム屋根は、屋根の全体を、骨材を結合して形成した屋根枠に面状の屋根部材を張って形成したものが多い。ところが、上記のような施設は観客席を含めた全体の外径が２００ｍにも達するため、屋根の重量が非常に大きくなり、この屋根を支持する下部構造体もそれに応じた強度が必要になり大きなものになってしまい建設コストが高くなってしまう。
【０００３】
そこで、屋根枠を骨組みで形成するのではなくて、支柱間に張ったケーブルで形成したものが考えられている。このような構造にすれば屋根を軽量にすることができる。ところが、この場合、支柱は屋根の最大高さよりも大きな高さが必要となる。例えば、野球場の場合、強打者の打球が当たらないようにするには中央部分で６０ｍの高さが必要であるので、支柱は６０ｍ以上の高さが必要である。この高さは、約２０階建てのビルの高さに匹敵するものであり、このような大きな高さの支柱を多数建設することはコストの増大を招く。
また、いずれの場合にも、中央部分の屋根の要求高さに引きずられて観客席部分の屋根高さが必要以上に高くなり空調エネルギが大きくなるという無駄がある。
【０００４】
【発明が解決しようとする課題】
本発明は、上記問題に鑑み、中央部分の高さは確保しつつ、建設コストがやすく、無駄のないドーム屋根構造を提供することを目的とする。
【０００５】
【課題を解決するための手段】
請求項１の発明によれば、大面積の下部施設を無柱式に被うドーム屋根であって、
内側が高く形成された中央屋根を下部施設の外周部に形成される外周支持体から内側に延伸する吊りケーブルで支持し、外周支持体から内側上方に延伸する抑えケーブルで前記中央屋根の上方移動を抑制し、抑えケーブルに面状の屋根部材を張って外側屋根を形成した、ことを特徴とするドーム屋根が提供される。
このように構成されたドーム屋根は、中央部分の屋根は高さが確保されるが、外側部分の屋根は低くなるので無駄がなく、また、ケーブルに屋根部材を張って形成されるので軽量になり、外周支持体を大きくする必要がなく建設コストも安くなる。
【０００６】
請求項２の発明によれば、請求項１の発明において、外周支持体はスタンドを形成する下部構造体の外側頂部に取り付けられる箱型断面の外周リングであり、中央屋根は内周リングに取り付けられ、吊りケーブルは内周リングを支持しているドーム屋根が提供される。
請求項３の発明によれば、請求項２の発明において、内周リングが箱型断面であるドーム屋根が提供される。
請求項４の発明によれば、請求項２の発明において、内周リングがリングケーブルとリングケーブルに取り付けられた接合部材から成り、接合部材に吊りケーブルと、抑えケーブル、および、または、中央屋根が取り付けられているドーム屋根が提供される。
請求項５の発明によれば、請求項２の発明において、外側屋根はスタンドの上方を被っているドーム屋根が提供される。
【０００７】
請求項６の発明によれば、請求項２の発明において、抑えケーブルは、吊りケーブルの下方に配設されているドーム屋根が提供される。
請求項７の発明によれば、請求項２の発明において、抑えケーブルは、吊りケーブルの上方に配設されているドーム屋根が提供される。
請求項８の発明によれば、請求項７の発明において、抑えケーブルが中央屋根の中心と外周支持体を結んでいるドーム屋根が提供される。
請求項９の発明によれば、請求項７の発明において、抑えケーブルと吊りケーブルの間に密閉気体層を設けたドーム屋根が提供される。
【０００８】
請求項１０の発明によれば、請求項２の発明において、外周リングの複数の外側取り付け位置から伸びる吊りケーブル、および、または、抑えケーブルが内周リングの１つの内側取り付け位置へ達しているドーム屋根が提供される。
請求項１１の発明によれば、請求項２の発明において、外周リングから内側に向かう吊りケーブル、および、または、抑えケーブルが、内周リングを横切ってから、該横切った位置とは異なる周方向位置で内周リングの内側に取り付けられているドーム屋根が提供される。
請求項１２の発明によれば、請求項１１の発明において、吊りケーブル、および、または、抑えケーブルが、内周リングを横切る際に、内周リングに付設された滑車を通るようにされているドーム屋根が提供される。
【０００９】
請求項１３の発明によれば、請求項２の発明において、中央屋根が、骨材を結合した屋根枠に膜状の屋根部材を張って形成したアーチ状屋根であるドーム屋根が提供される。
請求項１４の発明によれば、請求項２の発明において、中央屋根が、環状の外側中央屋根と、内側中央屋根から成るドーム屋根が提供される。
【００１０】
請求項１５の発明によれば、請求項２の発明において、中央屋根が、中心配置される中心部材と内周リングを１以上の箱型断面の副内周リングを介して結んだケーブルに面状部材を張って構成され、内側のリングほど底面の高さが高くされ、面状部材が各リングの底部の間を結ぶケーブルに張られているドーム屋根が提供される。
【００１１】
請求項１６の発明によれば、請求項２の発明において、中央屋根の内側に中央屋根を補強する張弦梁が配設されているドーム屋根が提供される。
請求項１７の発明によれば、請求項１６の発明において、抑えケーブルが中央屋根の外周より内側に延長されて張弦梁を兼ねているドーム屋根が提供される。
請求項１８の発明によれば、請求項１７の発明において、抑えケーブルが、内周リングに取り付けられた滑車を通っているドーム屋根が提供される。
請求項１９の発明によれば、請求項１７の発明において、抑えケーブルが中央屋根を貫通しているドーム屋根が提供される。
【００１２】
請求項２０の発明によれば、請求項２の発明において、中央屋根が可動屋根を含み、開閉可能であるドーム屋根が提供される。
請求項２１の発明によれば、請求項２０の発明において、可動屋根は内周リング上に円周状に配置されたレール上を移動するように構成され、レールに抑えケーブルが取り付けられているドーム屋根が提供される。
【００１３】
請求項２２の発明によれば、請求項２の発明において、吊りケーブルと抑えケーブルが連結ハンガー部材で連結されているドーム屋根が提供される。
【００１４】
請求項２３の発明によれば、請求項２の発明において、内周リングから略垂直下方に伸び、下端が下部施設に固定されている垂直抑えケーブルを有するドーム屋根が提供される。
【００１５】
請求項２４の発明によれば、請求項２の発明において、抑えケーブルが樹脂製の面状体で形成され、外側屋根を兼ねているドーム屋根が提供される。
【００１６】
【発明の実施の形態】
以下、添付の図面を参照しながら本発明の実施の形態について説明する。
初めに、第１の実施の形態について説明する。図１が第１の実施の形態のドーム屋根を説明する図であって、下部施設としての、例えば、野球場等のグラウンドＧの周りに、下部構造体１０が配設されていて、下部構造体１０の上側には外側が高い斜面１１が形成されていて、図示しないが、斜面１１には椅子が並べられていて、観客スタンドを形成している。
【００１７】
下部構造体１０の外側の頂部１２の上には、箱型断面の外周リング２０が固定されている。なお、外周リング２０は全周にわたる連続したものでもよいし、分割したものでもよい。外周リング２０の上端部から内側に延伸する吊りケーブル５０によって環状の内周リング３０が支持されている。
【００１８】
内周リング３０の上には、アーチ状の中央屋根４０が取り付けられている。中央屋根４０は、骨材を結合した骨組みの上に、例えば、軽量の膜材を張って連続体として形成され、中心が最も高くなるようされている。
中央屋根４０が下から風を受ける等によって上向きに動くのを防止するために、外周リング２０の下端部と内周リング３０を結ぶ抑えケーブル６０が設けられていて、吊りケーブル５０と抑えケーブルは連結ハンガー５５で連結されている。抑えケーブル６０の上には図中波線で示されている膜状屋根部材Ｒが張られていて下部構造体１０の上方を被う外側屋根７０が形成されている。
なお、膜状屋根部材Ｒを波線で示したが、これはわかりやすくするためのものであって、必ずしも、このように波打っているわけではない。
【００１９】
吊りケーブル５０は内周リング３０、および、中央屋根４０を支持するので、内側に向かって、すなわち外周リング２０の側から内周リング３０の側に向かって、下がっているが、抑えケーブル６０は逆に、外側に向かって、すなわち内周リング３０の側から外周リング２０の側に向かって下がっている。
したがって、外側屋根７０も外側に傾斜しており、降雨時に、中央屋根４０、外側屋根７０の上に落下した雨を下部構造体１０の外側まで導くことができる。
【００２０】
第１の実施の形態は上記のように構成されており、下部施設Ｇの上方を高い空間を確保しながら被うことができる。
【００２１】
次に、第２の実施の形態について説明する。図２が第２の実施の形態の構造を示す図であって、中央屋根４０の内側にケーブル材から成る張弦梁４５を設けて中央屋根４０を補強した点が第１の実施の形態と異なり、その他は第１の実施の形態と同じである。第２の実施の形態は、このように構成され、第１の実施の形態に比して中央屋根４０の強度が高いという利点がある。
【００２２】
次に、第３の実施の形態について説明する。図３が第３の実施の形態の構造を示す図であって、第２の実施の形態における張弦材４５の一部を抑えケーブル６０を内周リング３０の下側に取り付けられた滑車１０１を通して延長して形成したものである。第３の実施の形態はこのように構成されており第２の実施の形態に比してケーブルの固定箇所が減るという利点を有する。
【００２３】
次に、第４の実施の形態について説明する。図４が第４の実施の形態の構造を示す図であって、第１〜第３の実施の形態では吊りケーブル５０が抑えケーブル６０の上方にあるようにされていたのに対して、この第４の実施の形態では、逆に、吊りケーブル５０が抑えケーブル６０の下方にあるようされている。そのために、第１〜第３の実施の形態に比べて大きな高さ寸法を有する内周リング３０が使用されている。しかし、吊りケーブル５０と抑えケーブル６０が連結ハンガー５５で連結されている点は変わらない。
【００２４】
そして、抑えケーブル６０は、その目的、すなわち、中央屋根４０の上方への動きを抑制するために、抑えケーブル６０は外側が低くなるようにされている。したがって、この第４の実施の形態でも、外側屋根７０を形成する膜状屋根部材Ｒは雨を下部構造体１０の外側に導くために抑えケーブル６０に張られる。
【００２５】
第４の実施の形態は、上記のように構成され、内周リング３０の下端の高さを第１〜第３の実施の形態と同様にした場合には、内周リング３０そのものの高さが高いので、中央屋根４０、および、外側屋根７０が第１〜第３に実施の形態よりも高い位置に配置されることになり、スタンドにいる観客はより大きな開放感を味わうことができる。
【００２６】
なお、この第４の実施の形態では外周リング２０を小さくしながら、内周リング３０の下端の高さを第１〜第３の実施の形態と同様にしているので、下部構造体１０の外側部分が上方に延長されているが、下部構造体１０の外側部分の高さを第１〜第３の実施の形態と同様にし、外周リング２０も第１〜第３の実施の形態と同様にし、その外周リング２０の上部に吊りケーブル５０と抑えケーブル６０を取り付けてもよい。
【００２７】
次に、第５の実施の形態について説明する。図５が第５の実施の形態の構造を示す図であって、第４の実施の形態と同様に、吊りケーブル５０が抑えケーブル６０の下側に配されているが、抑えケーブル６０の内側端部は内周リングではなくて、中央屋根４０の中心頂部４０ｃに取り付けられている点が第４の実施の形態と異なる。そのために、内周リング３０も第１〜第３の実施の形態と同じ高さ寸法の小さいものとされている。第５の実施の形態は、このように構成されており、第４の実施の形態よりさらに、外側屋根７０の位置が高くなり、観客はさらに大きな開放感を味わうことができる。なお、外側屋根７０が中心まで延長されるので中央屋根４０は骨材のみとすることもできる。
【００２８】
次に、第６の実施の形態について説明する。図６が第６の実施の形態の構造を示す図であって、第５の実施の形態に比して、抑えケーブル６０が中央屋根４０の中間部（頂部と低部の間）４０ｍを貫通し内側の端部が中央屋根４０の内面に取り付けられ中央屋根４０の補強をしている点が異なる。また、吊りケーブル５０と抑えケーブル６０は連結ハンガーで連結されておらず、両者の間には、袋８１に空気（梨地状に示されている）を詰めた密閉空気空間８０が設けられている。このような密閉気体空間８０を設けることによって、外部との断熱が向上して内部の空調に要するエネルギを節減することができる。また、吸音効果も期待できる。
【００２９】
次に、第７の実施の形態について説明する。図７が第７の実施の形態の構造を示す図であって、中央屋根４０が内周リング３０に支持される環状の外側中央屋根４１と、外側中央屋根４１に分割内周リング３１を介して取り付けられている内側中央屋根４２から構成され、分割内周リング３１の内側に抑えケーブル６０の内側端部が取り付けられている。このように中央屋根４０を分割内周リング３１で分割することにより、中央屋根４０を均一な仕様にするのではなく部分的に異なる仕様とすることができる。例えば、内側中央屋根４２の部分を開閉屋根にすることも可能である。
【００３０】
次に、第８の実施の形態について説明する。図８が第８の実施の形態の構造を示す図であって、この第８の実施の形態は、第１〜第７の実施の形態とは大きく異なり、中央屋根が張架されたケーブルに膜状の屋根部材を取り付けて構成されている。
すなわち、第１の実施の形態と同様に、吊りケーブル５０と抑えケーブル６０で結ばれた内周リング３０があり、ここで内周リング３０は高さのあるものとされ、内周リング３０の上部と外周リング２０の上部が補助ケーブル９０で結ばれている。内周リング３０から、第１副吊りケーブル５１と第１副抑えケーブル６１で副内周リング３１を支持し、副内周リング３１も高さのあるものとされていて、副内周リング３１の上部と内周リング３０の上部は、副補助ケーブル９１で結ばれている。そして、副内周３１と、中心に配設されている中心部材４３が、第２副吊りケーブル５２と第２抑えケーブル６２で結ばれている。
そして、抑えケーブル６０の上のみならず、第１副抑えケーブル６１、第２副抑えケーブル６２の上にも、抑えケーブル６０の上に張られるのと同様な膜状の屋根部材Ｒが張られて、中央屋根４０が形成されている。
第８の実施の形態は上記のように構成され、第１〜第７の実施の形態に示したような一体のアーチ型の中央屋根に比べるとはるかに軽量にすることができる。
【００３１】
次に、第９の実施の形態について説明する。図９が第９の実施の形態の構造を説明する図であって、第１の実施の形態における内周リング２０と下部構造体１０の内縁部を垂直抑えケーブル５５で結び、抑えケーブル５０に加えてこの垂直抑えケーブル５５でも中央屋根４０の上方への動きを抑制するようにしたものである。第９の実施の形態はこのように構成されるので、抑えケーブル６０を細く、あるいは、小さくすることができる。
【００３２】
次に、第１０の実施の形態について説明する。図１０が第１０の実施の形態の内周リング３０の構造を示す部分斜視図であって、内周リング３０は、リングケーブル３０Ｃとリングケーブル３０Ｃに取り付けられる接続具３０Ｇから成り、接続具３０Ｇに吊りケーブル５０、抑えケーブル６０、および、中央屋根４０（骨材）が取り付けられている。第１０の実施の形態はこのように構成され、内周リング３０を軽量に形成することができる。
【００３３】
次に、第１１の実施の形態について説明する。これは、内周リング３０の上に可動屋根用のレール３０Ｒが取り付けられている場合に、このレール３０Ｒに吊りケーブル５０の内側端部を取り付けたものである。図１１がこの第１１の実施の形態を説明する図であって、箱型断面の内周リング３０の上に、レール３０Ｒが取り付けられており、レール３０Ｒにケーブル取り付け具３５Ｔが固定されていて、このケーブル取り付け具に抑えケーブル６０が取り付けられている。吊りケーブル５０は内周リング３０に直接取り付けられている。
抑えケーブルが取り付けられることによりレールには引っ張り力が作用するので組み立て後にこの引っ張り力を打ち消す圧縮力が発生するようにレールは組み付け時にプリテンションをかけるのが好ましい。
【００３４】
図１２は、上記のレールの上を動く可動屋根の構造の例を示す図であって、屋根の半分が開閉するタイプのものであって、内周リング３０の上に、固定側の半屋根４０Ｓが取り付けられている。そして、可動側の半屋根４０Ｍは下端に複数の台車４０Ｂが取り付けられており、この台車４０Ｂの車輪（図示せず）が前記内周リング３０の上に固定された前記のレール３０Ｒの上を回転移動するようになっている。
【００３５】
次に、吊りケーブル５０、抑えケーブル６０の張り方について、説明する。図１３は最も一般的な張り方で外周リング２０上の１点と内周リング３０上の１点を結んだものである。これに対して、図１４は外周リング２０上の複数の点（３点）と内周リング３０上の１点を結んだものである。図１４のようにすれば、吊りケーブル５０、抑えケーブル６０の本数は増えるが、力が分散されるので細いケーブルを使用することができる。
【００３６】
図１３、１４に示したものは、いずれも吊りケーブル５０、抑えケーブル６０の内側の端部を内周リング３０の外側に取り付けたものであるが、図１５に示すのは、吊りケーブル５０、抑えケーブル６０の内側の端部を内周リング３０の内側に取り付けるようにしたものである。この場合、各ケーブルが外周リングから２本、中心を通らないようにされ、全体が星型になるように張られているのは、中心部分の高さを得るためと、内周リングに作用するスラスト力（引張力）に対して上記ケーブル配置により圧縮力を作用させてスラスト力を緩和周方向の捩れの発生を防止するためである。
図１６は、上記の張り方を斜視図で示したものであって、わかりやすくするために、外周リング２０上の１つの点から張られた、吊りケーブル５０、抑えケーブル６０のみ示してある。
【００３７】
図１７は上記の張り方を真横から見たものであって、中心を挟んで対称的な位置にある外周リング２０上の２点から張られた吊りケーブル５０、抑えケーブル６０を示している。
図１７のような張り方をした場合は上側の抑えケーブル６０が内周リング３０より上方にあり中央屋根４０を取り付けにくく、また、下側の吊りケーブル５０が内周リング３０の内側においても内周リング３０の下側を通ることになる。
【００３８】
図１８に示すのは、このような欠点を除去したものであって、内周リング３０の上面に吊りケーブル５０の通る方向に溝３０Ｖを形成し、溝３０Ｖの内周側の上部に滑車１０２を取り付け、吊りケーブル５０はこの滑車１０２の下側を通し、内周リング３０の上面より下側にある取り付け点Ｐにケーブルの内側端部を取り付け、同様に抑えケーブル６０に対しては、内周リング３０の下面に抑えケーブル６０の通る方向に溝３０Ｗを形成し、溝３０Ｗの内周側の下部に滑車１０３を取り付け、抑えケーブル６０はこの滑車１０３を通してから吊りケーブル５０を取り付けたのと同じ取り付け点Ｐに内側端部を取り付けるようにされている。このようにすることにより、中央屋根４０の取り付けが容易になり、また、抑えケーブル６０が内周リング３０の内側において内周リング３０の下側を通ることが回避される。
【００３９】
図１９に示すのは、抑えケーブル６０をＣＦＲＰ（炭素繊維強化プラスチック）の板材６５に置き換えたものである。このようにすれば軽量化も可能であり、屋根部材Ｒを別途張る必要がない。
【００４０】
以上、第１〜第１１の実施の形態、および、ケーブルの張り方について説明をしてきたが、各実施の形態は、矛盾しない範囲で、適宜、組み合わせることができる。例えば、第９の実施の形態は、他のいずれの実施の形態とも組み合わせることができる。
【００４１】
【発明の効果】
各請求項に記載の発明は、大面積の下部施設を無柱式に被うドーム屋根であるが、内側が高く形成された中央屋根を下部施設の外周部に形成される外周支持体から内側に延伸する吊りケーブルで支持し、外周支持体から内側上方に延伸する抑えケーブルで前記中央屋根の上方移動を抑制し、抑えケーブルに面状の屋根部材を張って外側屋根を形成している。したがって、中央部分の屋根は高さが確保されるが、外側部分の屋根は低くなるので無駄がなく空調コストが安くなる、また、ケーブルに屋根部材を張って形成されるので軽量になり、外周支持体を大きくする必要がなく建設コストも安い。
特に、請求項４のように、内周リングがリングケーブルとリングケーブルに取り付けられた接合部材から成り、接合部材に吊りケーブルと、抑えケーブル、および、または、中央屋根が取り付けられているようにすれば屋根を軽量にすることができる。
特に、請求項９のように、抑えケーブルと吊りケーブルの間に密閉気体層を設ければ、断熱性が向上し、空調コストがさらに節減される。
特に、請求項１１のように、外周リングから内側に向かう吊りケーブル、および、または、抑えケーブルが、内周リングを横切ってから、該横切った位置とは異な周方向位置で内周リングの内側に取り付けられているようにすれば、内周リングに圧縮力が作用し安全性が向上する。
特に、請求項１５のように、中央屋根が、中心配置される中心部材と内周リングを１以上の箱型断面の副内周リングを介して結んだケーブルに面状部材を張って構成され、内側のリングほど底面の高さが高くされ、面状部材が各リングの底部の間を結ぶケーブルに張られているようにすれば、屋根が軽量に構成できる。
特に、請求項１６のように、中央屋根の内側に中央屋根を補強する張弦梁が配設されているようにすれば、中央屋根の強度が増し、安全性、耐久性が向上する。
特に、請求項２４のように、抑えケーブルが樹脂製の面状体で形成され、外側屋根を兼ねるようにすれば、屋根をより軽量に構成でき、また部品点数も少なくなり工事が簡単になる。
【図面の簡単な説明】
【図１】第１の実施の形態の構造を説明する図である。
【図２】第２の実施の形態の構造を説明する図である。
【図３】第３の実施の形態の構造を説明する図である。
【図４】第４の実施の形態の構造を説明する図である。
【図５】第５の実施の形態の構造を説明する図である。
【図６】第６の実施の形態の構造を説明する図である。
【図７】第７の実施の形態の構造を説明する図である。
【図８】第８の実施の形態の構造を説明する図である。
【図９】第９の実施の形態の構造を説明する図である。
【図１０】第１０の実施の形態の構造を説明する図である。
【図１１】第１１の実施の形態の構造を説明する図である。
【図１２】第１１の実施の形態が適用された開閉屋根を示す図である。
【図１３】ケーブルの張り方の一例を示す図である。
【図１４】ケーブルの張り方の他の例を示す図である。
【図１５】ケーブルの張り方の他の例を示す図である。
【図１６】図１５に示す張り方を斜視図で示したものである。
【図１７】図１６に示した張り方を真横から見た図である。
【図１８】図１７に示した張り方の変形例である。
【図１９】抑えケーブルをＣＦＲＰ製の板材にした例を示す図である。
【符号の説明】
１０…下部構造体
２０…外周リング
３０…内周リング
３０Ｃ…リングケーブル
３０Ｇ…接続部材
３０Ｒ…レール
３０Ｔ…接続具
３０Ｖ，３０Ｗ…溝
３５…分割内周リング
４０…中央屋根
４０Ｂ…台車
４０Ｍ…可動半屋根
４０Ｓ…固定半屋根
４１…外側中央屋根
４２…内側中央屋根
４５…張弦梁
５０…吊りケーブル
５１…第１副吊りケーブル
５２…第２副吊りケーブル
６０…抑えケーブル
６１…第１抑えケーブル
６２…第２抑えケーブル
７０…外側屋根
８１…袋
９０…補助ケーブル
９１…副補助ケーブル
１０１，１０２，１０３…滑車
Ｇ…グラウンド
Ｒ…（膜状の）屋根部材
【図１】
0003810634.tif 000002
【図２】
0003810634.tif 000003
【図３】
0003810634.tif 000004
【図４】
0003810634.tif 000005
【図５】
0003810634.tif 000006
【図６】
0003810634.tif 000007
【図７】
0003810634.tif 000008
【図８】
0003810634.tif 000009
【図９】
0003810634.tif 000010
【図１０】
0003810634.tif 000011
【図１１】
0003810634.tif 000012
【図１２】
0003810634.tif 000013
【図１３】
0003810634.tif 000014
【図１４】
0003810634.tif 000015
【図１５】
0003810634.tif 000016
【図１６】
0003810634.tif 000017
【図１７】
0003810634.tif 000018
【図１８】
0003810634.tif 000019
【図１９】
0003810634.tif 000020